(57)【要約】【課題】既存の生産設備により、安価で且つ迅速に携帯電話用パッケージを提供することを目的とする。【解決手段】四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる中間パネルとよりなり、中間パネルと側面パネルとの間に折り曲げ線で折り畳み、中間パネルの外面に貼り機により糊を付着させ、底パネルと側面パネルとの間の折り曲げ線で折り畳み、天パネルと接着させてなる携帯電話用パッケージとした。【選択図】　図９
2004017980.tif 000002
【特許請求の範囲】
【請求項１】
四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる中間パネルとよりなり、中間パネルと側面パネルとの間に折り曲げ線で折り畳み、中間パネルの外面に貼り機により糊を付着させ、底パネルと側面パネルとの間の折り曲げ線で折り畳み、天パネルと接着させてなる携帯電話用パッケージ。
【発明の詳細な説明】
【０００１】
【発明の属する技術分野】
本発明は、携帯電話用パッケージに関するものである。
【０００２】
【従来の技術】
複数の装置部品で構成される商品、例えば携帯電話機本体、充電装置、卓上ホルダーで構成される携帯電話機は、携帯電話機本体、充電装置、卓上ホルダーごとに個別に小箱に包装され、これ等の小箱をまとめて合成樹脂製成形品あるいはパルブモールド成形品に収容したり、最近では複雑な構造の段ボール製パッケージに収容したりしている。
【０００３】
【発明が解決しようとする課題】
複雑な構造の段ボール製パッケージでは、携帯電話の機能向上等に伴うモデルチェンジに迅速に対応できない。既存の生産設備により安価で且つ迅速に携帯電話のパッケージの生産が可能なことが求められる。
【０００４】
【課題を解決するための手段】
そこで、本発明は、上記の事情に鑑み、既存の生産設備により安価で且つ迅速に携帯電話用パッケージを提供すべく、四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる中間パネルとよりなり、中間パネルと側面パネルとの間に折り曲げ線で折り畳み、中間パネルの外面に貼り機により糊を付着させ、底パネルと側面パネルとの間の折り曲げ線で折り畳み、天パネルと接着させてなる携帯電話用パッケージとした。
【０００５】
【発明の実施の態様】
本発明を添付する図面に示す具体的な実施例に基づいて、以下詳細に説明する。
【０００６】
図１は、板紙等の紙素材で製作した本携帯電話用パッケージの概略長方形の展開図である。
【０００７】
四角形の天パネル１と、天パネル１の側辺の折り曲げ線２に連ねる長方形の側パネル３と、側パネル３の側辺の折り曲げ線４に連ねる前記天パネル１と同じ大きさの底パネル５と、底パネル５の側辺の折り曲げ線６に連ねる長方形の側パネル７と、側パネル７の側辺の折り曲げ線８に連ねる中間パネル９と、中間パネル９の側辺の折り曲げ線１０に連ねる折り曲げ片１１とよりなる。
【０００８】
天パネル１の上下辺にそれぞれ折り曲げ線１２１　・１２２　をそれぞれ介して補強パネル１３１　・１３２　を連ねる。補強パネル１３１　・１３２　の上下辺には折り曲げ線１４１　・１４２　をそれぞれ介して差込片１５１　・１５２　を連ねる。
【０００９】
天パネル１には右上に卓上ホルダー、右下に充電装置、左に形態電話機本体を収容する。
【００１０】
側面パネル３・７にそれぞれ上下に差込片１６１　・１６２　，１７１　・１７２　　を連ねる。
【００１１】
天パネル１には、右上の卓上ホルダーを収容する部分には、上下にそれぞれに横方向の切れ込み１８・１９を刻設し、切れ込み１８・１９の左端どうし、右端どうしをそれぞれ結ぶ折り曲げ線２０・２１を刻設する。切れ込み１８・１９の中点を結ぶ中心線２２を中心に位置させる波形切れ込み２３を刻設して、左右に波形折り込み２４・２５を形成する。
【００１２】
右下の充電装置を収容する部分には、上下にそれぞれ横方向の切れ込み３２・３３を刻設し、同様に折り曲げ線３６・３７を刻設する。切れ込み３２と切れ込み３３のそれぞれの中点を結び、波形切れ込み３８を刻設して、左右に波形折り込み３９・４０を形成する。
【００１３】
左の携帯電話機本体を収容する部分には、上に逆Ｌ字状の切れ込み２６を、下に横方向の切れ込み２７をそれぞれ刻設する。同様に折り曲げ線３４・３５を刻設する。また、中心線２８を中心に位置させる波形切れ込み２９を刻設して、左右に波形折り込み３０・３１を形成する。
【００１４】
中間パネル９には、右上に卓上ホルダー、右下に充電装置、左に携帯電話機本体を収容する吊り下げ部を設ける。吊り下げ部は単なる垂下片からなるものと、垂下片と当接片からなるものがある。
【００１５】
右上の卓上ホルダーの吊り下げ部は、左右に所定間隔へだてた縦方向切れ込み４１・４２を刻設し、切れ込み４１・４２の上端どうし、下端どうしをそれぞれ結び、折り曲げ線４３・４４を刻設し、切れ込み４１・４２の中間部で水平状の切れ込み５２を刻設して上方を垂下片４５と当接片４６とし、下方を垂下片４７とする。
【００１６】
右下の充電装置の吊り下げ部は、左右に所定間隔へだてた縦方向の切れ込み４８・４９を刻設し、切れ込み４８・４９の上端どうし、下端どうしをそれぞれ結び折り曲げ線５０・５１を刻設し、切れ込み４８・４９の中間部で水平状の切れ込み５３を刻設し、上方を垂下片５４とし、下方を垂下片５５と当接片５６とにする。
【００１７】
左の携帯電話機本体の吊り下げ部は、左右に所定間隔へだてた縦方向の切れ込み５７・５８を刻設し、切れ込み５７・５８の上端どうし、下端どうしをそれぞれ結び、折り曲げ線５９・６０を刻設し、切れ込み５７・５８の中間部で水平状の切れ込み６１を刻設し、上方を垂下片６２と当接片６３とにし、下方を垂下片６４と当接片６５とにし、右上部に垂下片６６を設ける。
【００１８】
次に、このパッケージは糊付け、貼りをサック貼り機で行う。
【００１９】
図２に示すように、底パネル５と側面パネル９との間の折り曲げ線８で１回目の折りを行う。
【００２０】
次に、前記のように折り畳んだワークの中間パネル９の外面にノズル６７１　・６７２　・６７３　・６７４　をコンピューターにより制御し、糊６８１　・６８２　・６８３　・６８４　を付着させる。
【００２１】
続いて、図４・図５に示すように、側面パネル３と底パネル５との間の折り曲げ線４で２回目の折りを行う。
【００２２】
図６は、図４・図５の状態のものを貼りつけたものである。
【００２３】
図７は糊付け、貼りが終わったセットアップ前の状態である。
【００２４】
図８はセットアップした概要を示し、本発明はセットアップの際、山折り、谷折りの逆方向の折りがなく、スムーズな起こしができる。
【００２５】
図９はセットアップした状態を示す。上面は天パネル１と中間パネル９との全面的二枚構造で、しかも窓孔の周囲は貼付けがしてあり、強固で丈夫である。また、この丈夫な面から吊り下げ部が設けられて、卓上ホルダー、充電装置、携帯電話機本体が確実に支持される。
【００２６】
【発明の効果】
本発明は、上述のように、四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる中間パネルとよりなり、中間パネルと側面パネルとの間に折り曲げ線で折り畳み、中間パネルの外面に貼り機により糊を付着させ、底パネルと側面パネルとの間の折り曲げ線で折り畳み、天パネルと接着させてなる携帯電話用パッケージであるので、既存の生産設備により安価で且つ迅速に携帯電話用パッケージの提供ができる。
【図面の簡単な説明】
【図１】本発明の携帯電話用パッケージの具体的一実施例の展開図である。
【図２】本発明の携帯電話用パッケージの１回目の折りの状態を示す斜視図である。
【図３】本発明の携帯電話用パッケージのサック貼り機による糊を付着する状態の模式図である。
【図４】本発明の携帯電話用パッケージの２回目の折りの状態を示す斜視図である。
【図５】図４の断面図である。
【図６】本発明の携帯電話用パッケージの接着した状態の平面図である。
【図７】本発明の携帯電話用パッケージの接着した状態の斜視図である。
【図８】本発明の携帯電話用パッケージのセットアップした概要を示す斜視図である。
【図９】本発明の携帯電話用パッケージのセットアップした状態の斜視図である。
【符号の説明】
１…天パネル
３…側面パネル
５…底パネル
７…側面パネル
９…中間パネル
８…折り曲げ線
６７１　・６７２　・６７３　・６７４　…サック貼り機
６８１　・６８２　・６８３　・６８４　…糊
４…折り曲げ線
【図１】
2004017980.tif 000003
【図２】
2004017980.tif 000004
【図３】
2004017980.tif 000005
【図４】
2004017980.tif 000006
【図５】
2004017980.tif 000007
【図６】
2004017980.tif 000008
【図７】
2004017980.tif 000009
【図８】
2004017980.tif 000010
【図９】
2004017980.tif 000011